(57)【要約】      （修正有）【課題】材料のコストが低減され、血液の循環効果を高めることができるエアー袋装置を提供する【解決手段】エアー袋装置１００であって、少なくとも第１の膜材と、第２の膜材と、前記第１の膜材と前記第２の膜材の間に形成され、充気可能な気密領域１０２を区切る少なくとも一本の閉鎖接合線１０４ｃと、前記閉鎖接合線１０４aに接続され、前記気密領域内１０２に位置される二本の開放接合線１０４ｂ、１０４ｄとを備え、前記二本の開放接合線１０４ｂ、１０４ｄの内、少なくとも一本の開放接合線の両端に孔１０６を有するエアー袋装置１００。【選択図】図１Ａ
2011067611.tif 000002
【特許請求の範囲】
【請求項１】
エアー袋装置であって、少なくとも
第１の膜材と、
第２の膜材と、
前記第１の膜材と前記第２の膜材の間に形成され、充気可能な気密領域を区切る少なくとも一本の閉鎖接合線と、
前記閉鎖接合線に接続され、前記気密領域内に位置される二本の開放接合線と
を備え、
前記二本の開放接合線の内、少なくとも一本の開放接合線の両端に孔を有するエアー袋装置。
【請求項２】
前記二本の開放接合線は、前記気密領域の長方向に平行する仮想ラインに沿って配置され、前記気密領域を二等分する請求項１に記載のエアー袋装置。
【請求項３】
前記二本の開放接合線は、互いに離れ、かつ前記閉鎖接合線にも離れる請求項１に記載のエアー袋装置。
【請求項４】
エアー袋装置であって、少なくとも
第１の膜材と、
第２の膜材と、
前記第１の膜材と前記第２の膜材の間に形成され、充気可能な気密領域を区切る少なくとも一本の閉鎖接合線と、
両端に孔を有する第１の開放接合線と、
仮想ラインに沿って配置され、それぞれ相対の両端を有し、一端が前記閉鎖接合線に接続され、他端に第２の孔が設けられる二本の第２の開放接合線と、
相対の両端を有し、一端が前記閉鎖接合線に接続され、他端に第３の孔が設けられる第３の開放接合線と
を備え、
前記第１、第２、第３の開放接合線は全て前記気密領域の長方向に平行し、前記気密領域内に位置されるエアー袋装置。
【請求項５】
前記二つの第２の孔は、互いに離れ、かつ前記気密領域の中心部分に位置する請求項４に記載のエアー袋装置。
【請求項６】
前記第１、第２、第３の開放接合線は全て互いに離れ、前記仮想ラインが前記第１の開放接合線と第３の開放接合線の間に位置し、前記気密領域を二等分する請求項４に記載のエアー袋装置。
【発明の詳細な説明】
【技術分野】
【０００１】
本発明は、エアー袋装置に関するものであり、特に人体をマッサージするエアー袋装置に関するものである。
【背景技術】
【０００２】
病人は長時間寝たきりなため、四肢の血液の循環速度が遅くなり、この血液の循環速度が遅い状況は、特に手術後の病人によく見られる。このような血液の循環速度の停滞は、腿部に血栓を形成する主因であり、更に腿部の組織を壊死させ、死亡に至る恐れもある。また、仕事時の体勢不良によって四肢の浮腫や血液循環不良、静脈塞栓症が現代社会で多発しているので、四肢の血液循環を改善することによって、体全体の血液循環を改善する手段が必要とされている。
【０００３】
血液の循環を改善し、血栓の形成を減少させるために、エアーの圧力で人間の四肢をマッサージする装置が用いられる。このようなマッサージ装置は、人間の四肢や胴体を包み、それぞれエアーパイプでエアーの供給源に接続される多数の充気可能なエアー室（気密領域）に区切られるエアー袋装置を有する。充気可能なエアー室（気密領域）を充気することによって人体の四肢をマッサージし、これによって、血液の循環を改善し、血栓の形成を減少させることを図る。通常、多数の充気可能なエアー室（気密領域）を有するエアー袋装置で人体の四肢をマッサージする場合は、心臓から最も離れた部位（例えば、踝）にある充気可能なエアー室（気密領域）を充気してマッサージし、マッサージする部位がだんだん心臓に近づくように、連続的に各充気可能なエアー室（気密領域）を充気する。全ての充気可能なエアー室（気密領域）が充気された後、しばらくこの状態を維持してから放気する。前記マッサージを繰り返して、血液を良く循環させる。しかし、従来のエアー袋装置は、一つの充気可能なエアー室（気密領域）に一本のエアーパイプでエアーの供給源に接続する必要があるため、エアーパイプの材料にコストがかかる。
【発明の概要】
【発明が解決しようとする課題】
【０００４】
そこで、本発明は、材料のコストが低減され、人間の血液の循環効果を高めることができるエアー袋装置を提供することを課題とする。
【課題を解決するための手段】
【０００５】
前記課題を達成するために、本発明は、エアー袋装置であって、少なくとも第１の膜材と、第２の膜材と、前記第１の膜材と前記第２の膜材の間に形成され、充気可能な気密領域を区切る少なくとも一本の閉鎖接合線と、前記気密領域内に位置される二本の開放接合線とを備え、前記二本の開放接合線の内、少なくとも一本の開放接合線の両端に孔を有するエアー袋装置を提供する。
【０００６】
この場合、前記二本の開放接合線は、概ね前記気密領域の長方向に平行する仮想ラインに沿って配置され、前記気密領域を二等分してよい。
【０００７】
また、前記二本の開放接合線の内、少なくとも一本は両端を有し、前記両端は、一端が前記閉鎖接合線に接続され、他端に第２の孔を有してよい。
【０００８】
また、前記二本の開放接合線は、互いに離れ、かつ前記閉鎖接合線に離れてもよい。
【０００９】
また、エアー袋装置は、更に前記気密領域とエアーの供給源を接続するエアーパイプを有する。
【００１０】
また、前記気密領域が人体の周りに固定されるように、エアー袋装置は、相対の両辺に面ファスナーのような接続部材が設けられてよい。
【００１１】
また、前記課題を達成するために、本発明は、エアー袋装置であって、少なくとも第１の膜材と、第２の膜材と、前記第１の膜材と前記第２の膜材の間に形成され、充気可能な気密領域を区切る少なくとも一本の閉鎖接合線と、両端に孔を有する第１の開放接合線と、概ね仮想ラインに沿って配置され、それぞれ相対の両端を有し、一端が前記閉鎖接合線に接続され、他端に第２の孔が設けられる二本の第２の開放接合線と、相対の両端を有し、一端が前記閉鎖接合線に接続され、他端に第３の孔が設けられる第３の開放接合線と、を備え、前記第１、第２、第３の開放接合線が全て前記気密領域の長方向に平行し、前記気密領域内に位置されるエアー袋装置を提供する。
【００１２】
この場合、前記二つの第２の孔は、互いに離れ、かつ前記気密領域の中心部分に位置してよい。
【００１３】
また、前記第１、第２、第３の開放接合線は全て互いに離れ、前記気密領域を四等分してよい。
【００１４】
また、前記仮想ラインは前記第１の開放接合線と第３の開放接合線の間に位置し、概ね前記気密領域を二等分してよい。
【００１５】
また、エアー袋装置は、更に前記気密領域とエアーの供給源を接続するエアーパイプを有する。
【００１６】
また、前記気密領域が人体の周りに固定されるように、エアー袋装置は、相対の両辺に面ファスナーのような接続部材が設けられてよい。
【発明の効果】
【００１７】
本発明によれば、材料のコストが低減され、人間の血液の循環効果を高めることができるエアー袋装置が提供される。
【図面の簡単な説明】
【００１８】
【図１Ａ】本発明に係るエアー袋装置の一実施形態を示す図。
【図１Ｂ】図１Ａに示すエアー袋装置の裏を示す図。
【図２】図１Ａに示すエアー袋装置の２−２’に沿った断面図。
【図３】図１Ａに示すエアー袋装置の３−３’に沿った断面図。
【図４Ａ】本発明に係るエアー袋装置の他の実施形態を示す図。
【図４Ｂ】図４Ａに示すエアー袋装置の裏を示す図。
【発明を実施するための形態】
【００１９】
図１Ａと図１Ｂは、本発明に係るエアー袋装置の一実施形態の表と裏を示す図である。エアー袋装置１００は、人体の四肢を包んでマッサージを繰り返して、四肢の血液の循環を改善する。エアー袋装置１００は、閉鎖接合線１０４ａと１０４ｃによって三つの充気可能なエアー室（気密領域）１０２ａ、１０２ｂ、１０２ｃに区切られ、それぞれのエアー室はエアーパイプ１０８ａ、１０８ｂ、１０８ｃによってエアーの供給源（図示せず）に接続される。本実施形態において、充気可能なエアー室（気密領域）１０２ａ、１０２ｂ、１０２ｃは、それぞれ概ね仮想ライン１０７に沿って配置される二本の開放接合線１０４ｂを有し、開放接合線１０４ｂによって、それぞれのエアー室（気密領域）が等分部１０２ａ１、１０２ａ２になるように二等分される。開放接合線１０４ｂは、両端に孔１０６が設けられる。二本の開放接合線１０４ｂは、互いに離れ、かつ閉鎖接合線１０４ａにも離れる。また、全ての孔１０６も閉鎖接合線１０４ａから離れる。孔１０６は、四肢の皮膚が換気できるように、通気口として機能する。また、仮想ライン１０７は、充気可能なエアー室（気密領域）１０２ａ、１０２ｂ、１０２ｃの長方向に平行する。また、充気可能なエアー室（気密領域）が人体の周りに固定されるように、エアー袋装置１００は、相対の両辺に面ファスナーのような接続部材１１０ａ、１１０ｂが設けられている。
【００２０】
図２は図１Ａに示すエアー袋装置の２−２’に沿った断面図である。高周波工程などの接合工程によって接合線１０４ａ、接合線１０４ｂ、接合線１０４ｃ、接合線１０４ｄに沿って二枚の膜材１０５ａ、１０５ｂを互いに張り合わせて複数の充気可能なエアー室（気密領域）が区切られる。膜材１０５ａ、１０５ｂは、材料として、例えばＰＶＣやＰＵなどの弾性のある高分子材料であってよく、厚さとして、５〜１０ミル（０．１２５ｍｍ〜０．２５ｍｍ）であってよい。また、図に示していないが、膜材１０５ａ、１０５ｂの外に肌触りの良い材料を覆い、または肌触りの良い材料を膜材１０５ａ、１０５ｂとして用いる場合、エアー袋装置を使用する時の快適さを高めることができる。充気可能なエアー室（気密領域）に流体（例えば、エアー）を流して、連続的に人体の四肢をマッサージすることができる。
【００２１】
図３は図１Ａに示すエアー袋装置の３−３’に沿った断面図である。孔１０６は接合線１０４ｂの両端に設けられおり、二枚の膜材１０５ａ、１０５ｂを貫通しているが、充気可能なエアー室（気密領域）内のエアーは孔１０６から漏れることはない。
【００２２】
充気可能なエアー室（気密領域）１０２ａ、１０２ｂ、１０２ｃが充気されるとき、一つの充気可能なエアー室（気密領域）内に開放接合線（例えば開放接合線１０４ｂ）を有するため、二つの充気可能なエアー室（気密領域）が同時に充気されるのに近似する効果が得られる。多くの充気可能なエアー室（気密領域）が同時にまたは連続的に充気されれば、人間の血液の循環効果をより高めることができる。前記構造により、一本のエアーパイプで一つの充気可能なエアー室（気密領域）を充気するだけで、前記二つの充気可能なエアー室（気密領域）が同時に充気されるのに近似する効果が得られるので、二本のエアーパイプを必要としないため、エアーパイプにかかるコストが節約される。また、充気可能なエアー室（気密領域）が充気されているとき、開放接合線によって膜材１０５ａ、１０５ｂの間の厚みを所定の範囲内に抑制することができる。
【００２３】
図４Ａと図４Ｂは、本発明に係るエアー袋装置の他の実施形態の表と裏を示す図である。エアー袋装置２００は、人体の四肢を包んでマッサージを繰り返して、四肢の血液の循環を改善する。エアー袋装置２００は、閉鎖接合線２０４ａによって三つの充気可能なエアー室（気密領域）２０２ａ、２０２ｂ、２０２ｃに区切られ、それぞれのエアー室はエアーパイプ２０８ａ、２０８ｂ、２０８ｃによってエアーの供給源（図示せず）に接続される。本実施形態において、充気可能なエアー室（気密領域）２０２ａで人間の大腿を包み、充気可能なエアー室（気密領域）２０２ｂ、２０２ｃで人間の小腿を包んで用いることができる。人間の膝部分を露出するために孔２１２が設けられる。
【００２４】
本実施形態において、充気可能なエアー室（気密領域）２０２ａ、２０２ｂ、２０２ｃは、閉鎖接合線２０４ａ内に設けられ、充気可能なエアー室（気密領域）２０２ａ、２０２ｂ、２０２ｃの長方向に平行する開放接合線２０４ｂと、二本の開放接合線２０４ｃと、開放接合線２０４ｄ計四本の開放接合線を有する。二本の開放接合線２０４ｃは、開放接合線２０４ｂと開放接合線２０４ｄの間に位置し、概ね仮想ライン２０７に沿って配置され、それぞれの一端が閉鎖接合線２０４ａに接続され、他端が互いに接しないように離れ、概ね充気可能なエアー室（気密領域）の中央部分に位置し、端部に孔２０６ａが設けられる。開放接合線２０４ｃによって、充気可能なエアー室（気密領域）が二等分される。開放接合線２０４ｂは、両端にそれぞれ孔２０６ｂが設けられ、更に前記二等分された充気可能なエアー室（気密領域）の内の一つを例えば等分部２０２ａ１、２０２ａ２に等分する。開放接合線２０４ｄは、一端が閉鎖接合線２０４ａに接続され、他端に孔２０６ｃが設けられ、更に前記二等分された充気可能なエアー室（気密領域）の内の一つを例えば等分部２０２ａ３、２０２ａ４に等分する。前記のように、開放接合線２０４ｂ、２０４ｃ、２０４ｄによって、それぞれのエアー室（気密領域）が等分部２０２ａ１、２０２ａ２、２０２ａ３、２０２ａ４になるように四等分される。孔２０６ａ、２０６ｂ、２０６ｃは、四肢の皮膚が換気できるように、通気口として機能する。また、仮想ライン２０７は、充気可能なエアー室（気密領域）２０２ａ、２０２ｂ、２０２ｃの長方向に平行する。また、充気可能なエアー室（気密領域）が人体の周りに固定されるように、エアー袋装置２００は、相対の両辺に面ファスナーのような接続部材２１０ａ、２１０ｂが設けられている。
【００２５】
充気可能なエアー室（気密領域）２０２ａ、２０２ｂ、２０２ｃが充気されるとき、一つの充気可能なエアー室（気密領域）内に開放接合線（例えば開放接合線２０４ｂ、２０４ｃ、２０４ｄ）を有するため、四つの充気可能なエアー室（気密領域）が同時に充気されるのに近似する効果が得られる。多くの充気可能なエアー室（気密領域）が同時にまたは連続的に充気されれば、人間の血液の循環効果をより高めることができる。前記構造により、一本のエアーパイプで一つの充気可能なエアー室（気密領域）を充気するだけで前記四つの充気可能なエアー室（気密領域）が同時に充気されるのに近似する効果が得られるので、二本以上のエアーパイプを必要としないため、エアーパイプにかかるコストが節約される。また、充気可能なエアー室（気密領域）が充気されているとき、開放接合線によって膜材の間の厚みを所定の範囲内に抑制することができる。
【００２６】
前記本発明の実施形態によれば、エアー袋装置に多数の充気可能なエアー室（気密領域）が設けられるが、少数のエアーパイプだけで作動できるので、エアーパイプの材料のコストが低減される。また、充気可能なエアー室（気密領域）を増やすことによって、人間の血液の循環効果をより高めることができる。
【００２７】
本発明では好適な実施形態を前述の通り開示したが、これは決して本発明を限定するものではなく、当該分野の技術を熟知しているものであれば、本発明の精神と領域を離脱しない範囲内で、多様の変動や修正を加えることができる。従って本発明の保護範囲は、特許請求の範囲で指定した内容を基準とする。
【符号の説明】
【００２８】
１００：エアー袋装置、
１０２ａ：エアー室（気密領域）、
１０２ａ１：等分部、
１０２ａ２：等分部、
１０２ｂ：エアー室（気密領域）、
１０２ｃ：エアー室（気密領域）、
１０５ａ：膜材、
１０５ｂ：膜材、
１０４ａ：閉鎖接合線、
１０４ｂ：開放接合線、
１０４ｃ：閉鎖接合線、
１０４ｄ：開放接合線、
１０６：孔、
１０７：仮想ライン、
１０８ａ：エアーパイプ、
１０８ｂ：エアーパイプ、
１０８ｃ：エアーパイプ、
１１０ａ：接続部材、
１１０ｂ：接続部材、
２００：エアー袋装置、
２０２ａ：エアー室（気密領域）、
２０２ｂ：エアー室（気密領域）、
２０２ｃ：エアー室（気密領域）、
２０２ａ１：等分部、
２０２ａ２：等分部、
２０２ａ３：等分部、
２０２ａ４：等分部、
２０４ａ：閉鎖接合線、
２０４ｂ：開放接合線、
２０４ｃ：開放接合線、
２０４ｄ：開放接合線、
２０６ａ：孔、
２０６ｂ：孔、
２０６ｃ：孔、
２０７：仮想ライン、
２０８ａ：エアーパイプ、
２０８ｂ：エアーパイプ、
２０８ｃ：エアーパイプ、
２１０ａ：接続部材、
２１０ｂ：接続部材、
２１２：孔。
【図１Ａ】
2011067611.tif 000003
【図１Ｂ】
2011067611.tif 000004
【図２】
2011067611.tif 000005
【図３】
2011067611.tif 000006
【図４Ａ】
2011067611.tif 000007
【図４Ｂ】
2011067611.tif 000008